(57)【要約】    【課題】除菌液を霧化して放出することで除菌を行いつつ、金属腐食等の除菌液による影響を抑制できるようにした超音波式噴霧装置を提供する。    【解決手段】超音波式噴霧装置１は、次亜鉛素酸ソーダ、苛性ソーダ及び炭酸ソーダを含む除菌液を蓄える除菌液貯留部３と、除菌液貯留部３に蓄えられた除菌液に超音波振動を加えて霧化させる超音波振動子７と、水を蓄える水貯留部９と、水貯留部９に蓄えられた水に超音波振動を加えて霧化させる超音波振動子１３と、除菌液放出口１７１及び水放出口１７２が形成されて除菌液貯留部３、超音波振動子７，１３及び水貯留部９を内部に収容するハウジングケース１７と、を備える。【選択図】図１
2011056192.tif 000002
【特許請求の範囲】
【請求項１】
次亜鉛素酸ソーダ、苛性ソーダ及び炭酸ソーダを含む除菌液を蓄える除菌液貯留部と、
前記除菌液貯留部に蓄えられた除菌液に所定の超音波振動を加えて霧化させる超音波振動子を含む除菌液霧化部と、
霧化された除菌液を放出する除菌液放出口が形成され、前記除菌液貯留部及び前記除菌液霧化部を内部に収容するハウジングケースと、
を備える超音波式噴霧装置。
【請求項２】
前記除菌液は、前記次亜鉛素酸ソーダ、前記苛性ソーダ及び前記炭酸ソーダの濃度がそれぞれ０．００２（ｗｔ％）以下の水溶液である請求項１に記載の超音波式噴霧装置。
【請求項３】
水を蓄える水貯留部と、
前記水貯留部に蓄えられた水に所定の超音波振動を加えて霧化させる超音波振動子を含む水霧化部と、を更に備え、
前記ハウジングケースは、前記除菌液貯留部、前記除菌液霧化部、前記水貯留部及び前記水霧化部を内部に収容し、
前記除菌液放出口は、霧化された除菌液又は霧化された水を放出する請求項１又は請求項２に記載の超音波式噴霧装置。
【請求項４】
水を蓄える水貯留部と、
前記水貯留部に蓄えられた水に所定の超音波振動を加えて霧化させる超音波振動子を含む水霧化部と、を更に備え、
前記ハウジングケースは、前記除菌液貯留部、前記除菌液霧化部、前記水貯留部及び前記水霧化部を内部に収容し、
前記ハウジングケースには、前記除菌液放出口とは別に、霧化された水を放出する水放出口が形成されている請求項１又は請求項２に記載の超音波式噴霧装置。
【請求項５】
前記除菌液貯留部に蓄えられた除菌液を霧化させる超音波振動子と、前記水貯留部に蓄えられた水を霧化させる超音波振動子とを別々に駆動可能な駆動制御部を備える請求項３又は請求項４に記載の超音波式噴霧装置。
【請求項６】
前記霧化された水を放出しているときに、前記霧化された除菌液を間欠的に放出する請求項５に記載の超音波式噴霧装置。
【請求項７】
着脱自在に構成され、前記除菌液貯留部に補給するための除菌液を蓄える除菌液タンクを更に備える請求項１〜６のいずれか１つに記載の超音波式噴霧装置。
【請求項８】
前記除菌液タンクは、紫外線カット機能が付与されている請求項７に記載の超音波式加湿装置。
【請求項９】
着脱自在に構成され、水貯留部に補給するための水を蓄える水タンクを更に備える請求項３〜８のいずれか１つに記載の超音波式噴霧装置。
【発明の詳細な説明】
【技術分野】
【０００１】
本発明は、超音波式噴霧装置に関し、特に、室内に除菌液を噴霧して除菌を行うことのできる超音波式噴霧装置に関する。
【背景技術】
【０００２】
この種の噴霧装置として、特許文献１には、次亜鉛素酸含有水溶液を霧化させて放出する室内殺菌・消臭装置が記載されている。この装置は、次亜鉛素酸含有水溶液に超音波を作用させて霧化させるとともに、送付手段からの気流及び気流噴射ノズルからの噴射気流を利用して、噴霧口から放出される次亜塩素酸含有水溶液の噴霧を遠くまで搬送させるようにしている。
【先行技術文献】
【特許文献】
【０００３】
【特許文献１】特開２０００−１９７６８９号公報
【発明の概要】
【発明が解決しようとする課題】
【０００４】
しかし、上記従来の装置のように、除菌液として次亜鉛素酸含有水溶液を用いると、噴霧された場所の金属が腐食したり、刺激臭などの不快な臭いが発生したりするおそれがあるため、特に、家庭、オフィス又は病室などにおいて使用し難いという課題があった。
【０００５】
本発明は、このような課題に着目してなされたものであり、その目的は、除菌液を霧化して放出することで室内の除菌を行いつつ、金属腐食や刺激臭等の除菌液による影響を抑制できるようにした超音波式噴霧装置を提供することを目的とする。
【課題を解決するための手段】
【０００６】
本発明の一側面によると、超音波式噴霧装置は、次亜鉛素酸ソーダ、苛性ソーダ及び炭酸ソーダを含む除菌液を蓄える除菌液貯留部と、上記除菌液貯留部に蓄えられた除菌液に振動を加えて霧化させる超音波振動子を含む除菌液霧化部と、霧化された除菌液を放出する放出口が形成されて上記除菌液貯留部及び上記除菌液霧化部を内包するハウジングと、を備える。
【発明の効果】
【０００７】
次亜鉛素酸ソーダ、苛性ソーダ及び炭酸ソーダを含む除菌液は、インフルエンザウイルス、ノロウイルス、コロナウイルス、パルボウイルスなどの各種ウイルスや大腸菌、黄色ブドウ球菌、ＭＲＳＡなどの各種細菌に対する除菌効果が確認されている。また、上記除菌液は、これを霧化して放出しても臭気発生や金属腐食のおそれもほとんどない。したがって、上記超音波式噴霧装置によれば、刺激臭によって室内にいる人に不快感を与えたり、室内に置かれたパソコン等の電子機器の故障を招いたりすることなく、室内を除菌することができる。
【図面の簡単な説明】
【０００８】
【図１】本発明の実施形態による超音波式噴霧装置の概略構成を示す断面図である。
【図２】実施形態による超音波式噴霧装置の制御部が実行する制御のフローチャートである。
【発明を実施するための形態】
【０００９】
以下、本発明の実施形態を図に基づいて説明する。
図１は、本発明の一実施形態による超音波式噴霧装置（以下単に「噴霧装置」という）の概略構成を示す断面図である。本実施形態による噴霧装置１は、液体に超音波振動を与えて霧化させて室内に放出するものであり、室内に除菌液（Ｌ）を噴霧して室内を除菌・消臭する除菌装置としての機能と、室内に水（Ｗ）を噴霧して室内を加湿する加湿器としての機能と、を有している。
【００１０】
図１に示すように、噴霧装置１は、所定量以下の除菌液を蓄える除菌液貯留部３と、除菌液貯留部３に補給するための除菌液を収容する除菌液タンク５と、第１超音波振動子７と、所定量以下の水を蓄える水貯留部９と、水貯留部９に補給するための水を収容する水タンク１１と、第２超音波振動子１３と、第１超音波振動子７及び第２超音波振動子１３の動作を制御する制御部１５と、ハウジングケース１７と、を備える。
【００１１】
本実施形態においては、上記除菌液として次亜鉛素酸ソーダ（ＮａＯＣｌ）、苛性ソーダ（ＮａＯＨ）及び炭酸ソーダ（Ｎａ２ＣＯ３）を含む水溶液を用いる。より具体的には、上記除菌液は、次亜鉛素酸ソーダ、苛性ソーダ及び炭酸ソーダの濃度（含有量）がそれぞれ０．００２（ｗｔ％）以下の水溶液である。このような除菌液は、弱アルカリ性であり、臭気発生や金属腐食のおそれがほとんどない無臭性・防腐食性を有する。また、上記除菌液は、インフルエンザウイルス、ノロウイルス、コロナウイルス、パルボウイルスなどの各種ウイルスや大腸菌、黄色ブドウ球菌、ＭＲＳＡなどの各種細菌に対する除菌機能を有するとともに、消臭（脱臭）機能をも有している。なお、上記除菌液は、高濃度の原液を水で希釈することによって生成できるものであり、使用場所や用途などに応じて除菌液の濃度（原液の水による希釈割合）を適宜調整することができる。
【００１２】
除菌液貯留部３は、ハウジングケース１７の内部に設けられ、除菌液タンク５から供給補給される除菌液を蓄える。除菌液貯留部３には、あらかじめ定められた所定量又はそれ以下の除菌液が蓄えられる。
【００１３】
除菌液タンク５は、所定量（例えば１リットル）の除菌液を収容可能な容器であり、ハウジングケース１７内に着脱自在に設置される。除菌液タンク５の底部には供給口５１が形成されており、この供給口５１はバルブ機能を備えたキャップ５２によって閉塞されている。除菌液タンク３の下方には、除菌液タンク５からの除菌液を一時的に貯留する液槽部５３が設けられており、この液槽部５３内の液位は、キャップ５２のバルブ機能によって、略一定に保たれている。すなわち、キャップ５２は、液槽部５３内の除菌液があらかじめ定められた液位を下回ると供給口５１を開き、該液位以上では供給口５１を閉じるバルブ部を有している。そして、液槽部５３は、連通部５４を介して除菌液貯留部３と連通しており、これにより除菌液貯留部３の液位は、液槽部５３の液位と同じになっている。
【００１４】
ここで、詳細な説明は省略するが、除菌液タンク５及びキャップ５２は、従来の加湿器などに用いられている、着脱自在のキャップ付き水タンクと同様の構成を採用することができる。なお、噴霧装置１の使用者は、通常、除菌液が充填された状態の除菌液タンクを入手して、これを空になった除菌液タンクと交換する。このため、特に使用前（噴霧装置１への設置前）における内部の除菌液の劣化、変質を抑制するため、除菌液タンク５には、紫外線カット機能が付与されているのが好ましい。例えば、紫外線を透過させない材料で除菌液タンク５を形成したり、紫外線吸収剤が配合された材料で除菌液タンク５を形成したり、除菌液タンク５の表面に紫外線吸収層又は紫外線反射層を設けたりすることが考えられる。
【００１５】
第１超音波振動子７は、除菌液貯留部３の底部に設けられている。第１超音波振動子７は、後述する制御部１１からの駆動（ＯＮ）信号によって駆動され、除菌液貯留部３に蓄えられた除菌液に所定の超音波振動を加えて該除菌液を霧化する。なお、この第１超音波振動子７が、本発明の「除菌液霧化部」に相当する。
【００１６】
水貯留部９は、除菌液貯留部３と同様の形態を有しており、ハウジングケース１７の内部に設けられ、水タンク１１から補給される水を蓄える。水貯留部９には、あらかじめ定められた所定量又はそれ以下の水が蓄えられる。
【００１７】
水タンク１１は、所定量（例えば２リットル）の水を収容可能な容器であり、除菌液タンク５と同様、ハウジングケース１７内に着脱自在に設置される。水タンク１１の底部には供給口１１１が形成され、この供給口１１１はバルブ機能を備えてキャップ１１２によって閉塞されている。水タンク１１の下方には、水タンク１１からの水を一次的に貯留する水槽部１１３が設けられており、この水槽部１１３内の水位は、キャップ１１２のバルブ機能によって、略一定に保たれている。すなわち、キャップ１１２は、水槽部１１３内の水があらかじめ定められた水位を下回ると供給口１１１を開き、該水位以上では供給口１１１を閉じるバルブ部を有している。そして、水槽部１１３は、連通部１１４を介して水貯留部９と連通しており、これにより水貯留部９の水位は、水槽部１１３の水位と同じになっている。
【００１８】
ここで、水タンク１１及びキャップ１１２も、除菌液タンク５及びキャップ５２と同様に、従来の加湿器などに用いられている着脱自在のキャップ付き水タンクと同様の構成を採用することができる。なお、噴霧装置１の使用者は、通常、水タンク１１が空になると、一旦水タンク１１を取り出し、供給口１１から水を充填して再びハウジングケース１７内に設置する。また、本実施形態においては、除菌液タンク５の容積よりも水タンク１１の容積の方が大きくなっているが、これに限られない。
【００１９】
第２超音波振動子１３は、水貯留部９の底部に設けられている。第２超音波振動子１３は、後述する制御部１１からの駆動（ＯＮ）信号によって駆動され、水貯留部９の蓄えられた水に所定の超音波振動を加えて該水を霧化する。なお、この第２超音波振動子７が、本発明の「水霧化部」に相当する
【００２０】
制御部１５は、例えばタイマーを内蔵し、図示しない入力部を介して入力された動作モードに応じて第１超音波振動子７及び第２超音波振動子１３のそれぞれに駆動信号を供給する。本実施形態においては、噴霧装置１を加湿器及び除菌装置として動作させる通常動作モード、噴霧装置１を加湿器として動作させる加湿モード、及び、噴霧装置１を除菌装置として動作させる除菌・消臭モードのいずれかが上記入力部を介して入力されるようになっている。なお、この制御部１５が、本発明の「駆動制御部」に相当する。
【００２１】
ハウジングケース１７は、噴霧装置１の外形を構成するものであり、その内部に除菌液貯留部３、除菌液タンク５、第１超音波振動子７、水貯留部９、水タンク１１、第２超音波振動子１３及び制御部１５を収容する。ハウジングケース１７は、複数のパーツ（例えば上ケース、下ケース）によって構成されてもよく、該ハウジングケース１７には、霧化された除菌液を放出する除菌液放出口１７１、霧化された水を放出する水放出口１７２が形成されている。また、ハウジングケース１７には、開閉自在の蓋１７３，１７４が取り付けられており、蓋１７３を開閉して除菌液タンク５の着脱が行われ、蓋１７４を開閉して水タンク１１の着脱が行われるようになっている。
【００２２】
以上のような構成において、使用者による入力操作に応じて制御部１５によって第１超音波振動子７が駆動されると、除菌液貯留部３に蓄えられた除菌液が霧化され、霧化された除菌液が除菌液放出口１７１から室内に放出される。これにより、室内が除菌、消臭される。また、除菌液貯留部３には、霧化されて減少した分の除菌液が除菌液タンク５から液槽部５３、連通部５４を介して補給される。なお、空になった除菌液タンク５は、使用者によって新たな除菌液タンク５と交換される。
【００２３】
一方、制御部１５によって第２超音波振動子１３が駆動されると、水貯留部９に蓄えられた水が霧化され、霧化された水が水放出口１７２から室内に放出される。これにより、室内が加湿される。また、水貯留部９には、霧化されて減少した分の水が水タンク１１から水槽部１１３、連通部１１４を介して補給される。なお、空になった水タンク１１は、使用者によって水（通常は水道水）が充填されて再び使用される。
【００２４】
そして、制御部１５によって第１超音波振動子７及び第２超音波振動子１３が駆動されると、霧化された除菌液が除菌液放出口１７１から放出されるとともに、霧化された水が水放出口１７２から放出される。ここで、図１に示すように、除菌液放出口１７１と水放出口１７２とは、ハウジングケース１７の異なる位置に開口しており、霧化された除菌液と霧化された水とが、放出後すぐに混合されてしまうことが防止される。これにより、水（特に、水道水）に含まれる成分による除菌液の性能低下などが抑制される。
【００２５】
図２は、制御部１５が実行するフローチャートを示している。
ステップＳ１では、入力部を介して入力された動作モードを判定する。そして、入力された動作モードが通常動作モードであればステップＳ２に進み、入力された動作モードが加湿モードであればステップＳ８に進み、入力された動作モードが除菌・消臭モードであればステップＳ１１に進む。
【００２６】
ステップＳ２では、内蔵するタイマーを起動するとともに第２超音波振動子１３を駆動して水貯留部９に蓄えられた水を霧化させる。これにより、噴霧装置１は、霧化された水を室内に放出し、室内の加湿を開始する。
【００２７】
ステップＳ３では、タイマーの起動（又は第２超音波振動子１３の駆動開始）から第１所定時間（例えば５分）が経過したか否かを判定する。そして、第１所定時間が経過したらステップＳ４に進む。
ステップＳ４では、第１超音波振動子７を第２所定時間（＜第１所定時間、例えば１分）だけ駆動して（すなわち、駆動開始から第２所定時間経過後に第１超音波振動子７の駆動を停止して）除菌液貯留部３に蓄えられた除菌液を霧化させる。これにより、噴霧装置１は、第２所定時間の間、霧化された除菌液を放出する。なお、このとき、第１超音波振動子７の駆動開始時間又は駆動停止時間を記憶しておく。
【００２８】
ステップＳ５では、タイマーの起動（又は第２超音波振動子１３の駆動開始）から第３所定時間（＞第１所定時間、例えば６０分）が経過したか否かを判定する。そして、第３所定時間が経過していなければステップＳ６に進み、第３所定時間が経過したらステップＳ７に進む。
ステップＳ６では、第１超音波振動子７の駆動開始（又は駆動停止）から上記第１所定時間が経過したか否かを判定する。上記第１所定時間が経過していなければステップＳ５に戻り、上記第１所定時間が経過したらステップＳ４に戻る。
ステップＳ７では、第２超音波振動子１３の駆動を停止させ、タイマーをクリアする。
【００２９】
以上のステップＳ１〜Ｓ７により、通常動作モードが選択されると、噴霧装置１は、霧化された水を第３所定時間（例えば６０分）放出し続けるとともに、第１所定時間（例えば５分）ごとに霧化された除菌液を第２所定時間（例えば１分）だけ放出する。これにより、室内が加湿されるともに室内には除菌液が間欠的に噴霧されるので、例えば、冬季におけるインフルエンザ疾患の防止に有効である。
【００３０】
ステップＳ８では、上記ステップＳ２と同様、内蔵するタイマーを起動するとともに、第２超音波振動子１３を駆動して水貯留部９に蓄えられた水を霧化させる。これにより、噴霧装置１は、霧化された水を室内に放出し、室内の加湿を開始する。
ステップＳ９では、タイマーの起動（又は第２超音波振動子１３の駆動開始）から上記第３所定時間が経過したか否かを判定し、第３所定時間が経過したらステップＳ１０に進む。
ステップ１０では、第２超音波振動子１３の駆動を停止させ、タイマーをクリアする。
【００３１】
以上のステップＳ８〜Ｓ１０により、加湿モードが選択されると、噴霧装置１は、霧化された水を室内に第３所定時間（例えば６０分）放出し続ける。これにより、噴霧装置１を一般的な加湿器として動作させることができる、室内を加湿できる。
【００３２】
ステップＳ１１では、内蔵するタイマーを起動するととともに、第１超音波振動子７を駆動して除菌液貯留部３に蓄えられた除菌液を霧化させる。これにより、噴霧装置１は、霧化された除菌液を室内に放出し、室内の除菌・消臭を開始する。
ステップＳ１２では、タイマーの起動（又は第１超音波振動子７の駆動開始）から上記第３所定時間が経過したか否かを判定し、第３所定時間が経過したらステップＳ１３に進む。
ステップＳ１３では、第１超音波振動子７の駆動を停止させ、タイマーをクリアする。
【００３３】
以上のステップＳ１１〜Ｓ１３より、除菌・消臭モードが選択されると、噴霧装置１は、霧化された水を室内に第３所定時間（例えば６０分）放出し続ける。これにより、噴霧装置１を除菌・消臭装置と動作させることができ、室内を効果的に除菌・消臭することができる。
【００３４】
なお、上記第１〜第３所定時間は適宜設定できるものであり、各モードで異なる値を設定してもよい。また、除菌・消臭モードにおいて、第３所定時間が経過するまでの間、霧化された除菌液を間欠的に放出させるようにしてもよい。
【００３５】
本実施形態による噴霧装置１は複数の動作モードを有し、使用者によって選択された動作モードで動作する。すなわち、通常動作モードが選択されると、噴霧装置１は、第３所定時間の間、室内の加湿と除菌・消臭とを併せて行う。また、加湿モードが選択されると、噴霧装置１は、第３所定時間の間、室内を加湿する一般的な加湿器として動作する。さらに、除菌・消臭モードが選択されると、噴霧装置１は、第３所定時間の間、室内を除菌・消臭する除菌・消臭装置として動作する。つまり、一つの噴霧装置が加湿機能と除菌・消臭機能とを備えているので、特にインフルエンザ疾患の防止に有効である。また、加湿器と除菌装置とを別々に設ける場合に比べて、設置スペースが小さくて済むという利点もある。
【００３６】
なお、上記実施形態においては、ハウジングケース１７が除菌液貯留部３、除菌液タンク５、第１超音波振動子７、水貯留部９、水タンク１１、第２超音波振動子１３及び制御部１５を内部に収容しているが、これらの全てを収容する必要はなく、例えば、ハウジングケース１７が、除菌液貯留部３、第１超音波振動子７、水貯留部９、第２超音波振動子１３及び制御部１５を内部に収容し、除菌液タンク５及び水タンク１１がハウジングケース１７から露出していてもよい。この場合、上述したように、除菌液タンク５には、紫外線カット機能が付与されているのが好ましい。
【００３７】
また、上記実施形態においては、ハウジングケース１７に除菌液放出口１７１及び水放出口１７２が形成されているが、共通する一つの放出口から霧化された除菌液及び霧化された水が放出される構成としてもよい。但し、上述したように、水（特に、水道水）に含まれる成分による除菌液の性能低下のおそれを考慮すると、除菌液放出口１７１及び水放出口１７２を別々に形成するのが好ましい。
【００３８】
また、上記実施形態においては、除菌液タンク５及び水タンク１１を備えているが、除菌液貯留部３及び水貯留部９の容積を大きくして、除菌液タンク５及び水タンク１１を備えない構成としてもよい。この場合、除菌液は除菌液貯留部３に直接補給され、水は水貯留部９に直接補給されることになる。
【００３９】
また、上記実施形態による噴霧装置１は、除菌装置としての機能及び加湿器としての機能を備えているが、除菌装置として構成してもよい。この場合、噴霧装置は、所定量の除菌液を蓄える除菌液貯留部と、除菌液貯留部に補給するための除菌液を収容する除菌液タンクと、除菌液貯留部に蓄えられた除菌液に所定の超音波振動を加えて霧化させる超音波振動子と、超音波振動子の動作を制御する制御部と、除菌液貯留部、除菌液タンク、超音波振動子及び制御部を内部に収容するハウジングケースと、を備えればよい。また、この場合において、ハウジングケースは、少なくとも除菌液貯留部、超音波振動子及び制御部を内部に収容すればよく、除菌液タンクを省略することも可能である。
【００４０】
さらに、上記実施形態においては、次亜鉛素酸ソーダ、苛性ソーダ及び炭酸ソーダを含む水溶液を除菌液として用いているが、使用場所や用途、要求される除菌性能などに応じて除菌液を変更してもよい。例えば、上記除菌液に代えて、次亜鉛素酸ソーダ、亜鉛素酸ソーダ、炭酸二ソーダ及び苛性ソーダを含む水溶液を除菌液として用いてもよい。この場合、各成分の濃度は５（ｗｔ％）以下であり、水（純粋が好ましい）で希釈することでその濃度は適宜調整され得る。かかる除菌液も上記除菌液と同様の機能を有することが確認されている。また、濃度調整された次亜塩素酸水を除菌液として用いることもできる。
【符号の説明】
【００４１】
１…超音波式噴霧装置、３…除菌液貯留部、５…除菌液タンク、７…第１超音波振動子（除菌液霧化部）、９…水貯留部、１１…水タンク、１３…第２超音波振動子（水霧化部）、１５…制御部（駆動制御部）、１７…ハウジングケース、１７１…除菌液放出口、１７２…水放出口
【図１】
2011056192.tif 000003
【図２】
2011056192.tif 000004
【手続補正書】
【提出日】平成22年9月24日(2010.9.24)
【手続補正１】
【補正対象書類名】特許請求の範囲
【補正対象項目名】請求項１
【補正方法】変更
【補正の内容】
【請求項１】
次亜塩素酸ソーダ、苛性ソーダ及び炭酸ソーダを含む除菌液を蓄える除菌液貯留部と、
前記除菌液貯留部に蓄えられた除菌液に所定の超音波振動を加えて霧化させる超音波振動子を含む除菌液霧化部と、
霧化された除菌液を放出する除菌液放出口が形成され、前記除菌液貯留部及び前記除菌液霧化部を内部に収容するハウジングケースと、
を備える超音波式噴霧装置。
【手続補正２】
【補正対象書類名】特許請求の範囲
【補正対象項目名】請求項２
【補正方法】変更
【補正の内容】
【請求項２】
前記除菌液は、前記次亜塩素酸ソーダ、前記苛性ソーダ及び前記炭酸ソーダの濃度がそれぞれ０．００２（ｗｔ％）以下の水溶液である請求項１に記載の超音波式噴霧装置。
【手続補正３】
【補正対象書類名】明細書
【補正対象項目名】０００２
【補正方法】変更
【補正の内容】
【０００２】
この種の噴霧装置として、特許文献１には、次亜塩素酸含有水溶液を霧化させて放出する室内殺菌・消臭装置が記載されている。この装置は、次亜塩素酸含有水溶液に超音波を作用させて霧化させるとともに、送付手段からの気流及び気流噴射ノズルからの噴射気流を利用して、噴霧口から放出される次亜塩素酸含有水溶液の噴霧を遠くまで搬送させるようにしている。
【手続補正４】
【補正対象書類名】明細書
【補正対象項目名】０００４
【補正方法】変更
【補正の内容】
【０００４】
しかし、上記従来の装置のように、除菌液として次亜塩素酸含有水溶液を用いると、噴霧された場所の金属が腐食したり、刺激臭などの不快な臭いが発生したりするおそれがあるため、特に、家庭、オフィス又は病室などにおいて使用し難いという課題があった。
【手続補正５】
【補正対象書類名】明細書
【補正対象項目名】０００６
【補正方法】変更
【補正の内容】
【０００６】
本発明の一側面によると、超音波式噴霧装置は、次亜塩素酸ソーダ、苛性ソーダ及び炭酸ソーダを含む除菌液を蓄える除菌液貯留部と、上記除菌液貯留部に蓄えられた除菌液に振動を加えて霧化させる超音波振動子を含む除菌液霧化部と、霧化された除菌液を放出する放出口が形成されて上記除菌液貯留部及び上記除菌液霧化部を内包するハウジングと、を備える。
【手続補正６】
【補正対象書類名】明細書
【補正対象項目名】０００７
【補正方法】変更
【補正の内容】
【０００７】
次亜塩素酸ソーダ、苛性ソーダ及び炭酸ソーダを含む除菌液は、インフルエンザウイルス、ノロウイルス、コロナウイルス、パルボウイルスなどの各種ウイルスや大腸菌、黄色ブドウ球菌、ＭＲＳＡなどの各種細菌に対する除菌効果が確認されている。また、上記除菌液は、これを霧化して放出しても臭気発生や金属腐食のおそれもほとんどない状態で使用できる。したがって、上記超音波式噴霧装置によれば、刺激臭によって室内にいる人に不快感を与えたり、室内に置かれたパソコン等の電子機器の故障を招いたりすることなく、室内を除菌することができる。
【手続補正７】
【補正対象書類名】明細書
【補正対象項目名】００１１
【補正方法】変更
【補正の内容】
【００１１】
本実施形態においては、上記除菌液として次亜塩素酸ソーダ（ＮａＯＣｌ）、苛性ソーダ（ＮａＯＨ）及び炭酸ソーダ（Ｎａ２ＣＯ３）を含む水溶液を用いる。より具体的には、上記除菌液は、次亜塩素酸ソーダ、苛性ソーダ及び炭酸ソーダの濃度（含有量）がそれぞれ０．００２（ｗｔ％）以下の水溶液である。このような除菌液は、弱アルカリ性であり、臭気発生や金属腐食のおそれがほとんどない無臭性・防腐食性を有する。また、上記除菌液は、インフルエンザウイルス、ノロウイルス、コロナウイルス、パルボウイルスなどの各種ウイルスや大腸菌、黄色ブドウ球菌、ＭＲＳＡなどの各種細菌に対する除菌機能を有するとともに、消臭（脱臭）機能をも有している。なお、上記除菌液は、高濃度の原液を水で希釈することによって生成できるものであり、使用場所や用途などに応じて除菌液の濃度（原液の水による希釈割合）を適宜調整することができる。
【手続補正８】
【補正対象書類名】明細書
【補正対象項目名】００４０
【補正方法】変更
【補正の内容】
【００４０】
さらに、上記実施形態においては、次亜塩素酸ソーダ、苛性ソーダ及び炭酸ソーダを含む水溶液を除菌液として用いているが、使用場所や用途、要求される除菌性能などに応じて除菌液を変更してもよい。例えば、上記除菌液に代えて、次亜塩素酸ソーダ、亜塩素酸ソーダ、炭酸二ソーダ及び苛性ソーダを含む水溶液を除菌液として用いてもよい。この場合、各成分の濃度は５（ｗｔ％）以下であり、水（純粋が好ましい）で希釈することでその濃度は適宜調整され得る。かかる除菌液も上記除菌液と同様の機能を有することが確認されている。また、濃度調整された次亜塩素酸水を除菌液として用いることもできる。